(57)【要約】【課題】テープ巻きを省略することで作業性を高め、貼付け代を増大させずに分岐部の固定強度を高めることができるワイヤハーネス及びワイヤハーネスの製造方法を提供する。【解決手段】ワイヤハーネス１１は、幹線１５と、幹線１５を挟んで覆い幹線１５に沿う一対の縁部２２を重ね合わせて貼り合わされる片面自己粘着シート１９と、幹線１５の途中から幹線１５の周囲に少なくとも半周以上巻き付けられてから幹線１５と交差する方向に分岐配索されて一対の縁部２２の間から導出される支線１７と、を備える。【選択図】図１
2015033207.tif 000002
【特許請求の範囲】
【請求項１】
幹線と、
前記幹線を挟んで覆い前記幹線に沿う一対の縁部を重ね合わせて貼り合わされる片面粘着シートと、
前記幹線の途中から前記幹線の周囲に少なくとも半周以上巻き付けられてから前記幹線と交差する方向に分岐配索されて前記一対の縁部の間から導出される支線と、
を備えることを特徴とするワイヤハーネス。
【請求項２】
前記幹線の延在方向一端側から配索された一端側支線と、前記幹線の延在方向他端側から配索された他端側支線とが、前記幹線の周囲に少なくとも半周以上巻き付けられてから前記幹線と交差する同方向に纏めて分岐配索されて前記一対の縁部の間から導出されることを特徴とする請求項１に記載のワイヤハーネス。
【請求項３】
布線用図板に予め片面粘着シートを載置するシート載置工程と、
幹線のみの電線を前記片面粘着シートの上に配索する布線工程と、
前記幹線の少なくとも延在方向一端側から配索される支線を前記幹線の周囲に少なくとも半周以上巻き付けてから前記幹線と交差する方向に分岐配索する支線巻き付け分岐工程と、
前記片面粘着シートを貼り合わせて前記幹線及び前記支線を一括して挟んで覆う外装工程と、
を含むことを特徴とするワイヤハーネスの製造方法。
【発明の詳細な説明】
【技術分野】
【０００１】
本発明は、ワイヤハーネス及びワイヤハーネスの製造方法に関する。
【背景技術】
【０００２】
従来、自動車のエンジンルーム内に搭載されたバッテリーと室内側に配置されたジャンクションボックスとを接続するワイヤハーネス（エンジンルーム・ハーネス或いはフロントハーネスとも称す）が、車長方向に配索されている。このようなワイヤハーネスの幹線からは、支線が上方に立ち上がるようにＴ字状に分岐されて、リレーボックス等へと接続されている（例えば、特許文献１参照）。
【０００３】
上記支線が幹線から立ち上がるようにＴ字状に分岐された箇所は、浸水領域になる場合があり、Ｔ字状の分岐部から、支線を伝った水が幹線へと流入し、更に室内側へと浸水する虞がある。そこで、支線が分岐される位置には、電線群にテープ（粘着テープ）がハーフラップ巻きされ、電線を外部に露出させない等の防水対策が施される。
【０００４】
このＴ字状の分岐部は、例えば図４に示すように、テープ５０１によって分岐処理される。テープ５０１による分岐処理では、一対の治具ピン５０３が立設される布線用図板（図示略）を用いて、幹線５０５と支線５０７を配索し、分岐毎個別にテープ巻きして電線５１１を収束する。その後、Ｔ字状の分岐部に矩形状の片面粘着シート５０９があてがわれて粘着固定される。
【０００５】
また、Ｔ字状の分岐部は、図５に示すように、テープ５０１によって分岐処理せずに片面粘着シート５０９だけで分岐処理されることもある。この場合、布線用図板上に予め片面粘着シート５０９が置かれる。そこで、治具ピン５０３は、置かれた片面粘着シート５０９から外れた位置となるように布線用図板に立設される。そして、布線用図板上の片面粘着シート５０９に電線５１１を配索後、片面粘着シート５０９が貼り合わされて幹線５０５と共に支線５０７が覆われて粘着固定される。
【先行技術文献】
【特許文献】
【０００６】
【特許文献１】特開２００３−１４３７３１号公報
【発明の概要】
【発明が解決しようとする課題】
【０００７】
しかしながら、図４に示したテープ５０１による分岐処理では、片面粘着シート５０９を張り合わせる範囲内でのテープ巻き作業となるため、テープ巻き作業と、シート貼り作業が別工程になる。即ち、テープ巻き作業時に、片面粘着シート５０９が下方に有ると、テープ巻き作業の邪魔になり作業性が悪い（作業できない）ためである。
一方、図５に示した片面粘着シート５０９による分岐処理では、治具ピン５０３が布線用図板上の片面粘着シート５０９の外となるように配置される。このため、支線５０７の配索時、幹線５０５の分岐部から治具ピン５０３までの間の領域Ａでの支線５０７が、フリーになってしまい位置決め固定できない。その結果、領域Ａでの支線５０７は片面粘着シート５０９との接触長さが短くなり、少ない力で支線５０７の枝寸法が変化してしまう可能性がある。また、片面粘着シート５０９の領域Ａにおける貼り合わせ部分は、幹線５０５の貼付け代でもある。従って、支線保持強度向上のためにこの貼付け代が大きく確保されると、幹線５０５に沿う全ての貼付け代が増大し、大きな無駄が生じるという問題がある。
【０００８】
本発明は上記状況に鑑みてなされたもので、その目的は、テープ巻きを省略することで作業性を高め、貼付け代を増大させずに分岐部の固定強度を高めることができるワイヤハーネス及びワイヤハーネスの製造方法を提供することにある。
【課題を解決するための手段】
【０００９】
本発明に係る上記目的は、下記構成により達成される。
（１）  幹線と、前記幹線を挟んで覆い前記幹線に沿う一対の縁部を重ね合わせて貼り合わされる片面粘着シートと、前記幹線の途中から前記幹線の周囲に少なくとも半周以上巻き付けられてから前記幹線と交差する方向に分岐配索されて前記一対の縁部の間から導出される支線と、を備えることを特徴とするワイヤハーネス。
【００１０】
上記（１）の構成のワイヤハーネスによれば、幹線に沿って配索された支線が、幹線の途中である分岐位置において、幹線の周囲に少なくとも半周以上巻き付けられてから幹線と交差する方向に分岐配索される。即ち、支線は、この幹線の周囲に巻き付けられた部分も片面粘着シートの粘着面との接触領域となる。更に、支線は、導出方向（分岐方向）に引っ張られると、幹線の周囲に巻き付けられた部分と幹線との摩擦力によって分岐部に抗力が生じる。そこで、この抗力が分岐部の固定強度に寄与することになり、支線における幹線の周囲に巻き付けられた部分は、片面粘着シートの貼付け代を拡大せずに分岐部の固定強度を増大させることになる。
また、支線における幹線の周囲に巻き付けられた部分は、分岐部の固定強度を高めるのと同時に、分岐部の幹線を巻き締める働きがある。これにより、分岐部での電線のバラケが抑制される。その結果、分岐部でのテープ巻きを省略することができる。
【００１１】
（２）  上記（１）の構成のワイヤハーネスであって、前記幹線の延在方向一端側から配索された一端側支線と、前記幹線の延在方向他端側から配索された他端側支線とが、前記幹線の周囲に少なくとも半周以上巻き付けられてから前記幹線と交差する同方向に纏めて分岐配索されて前記一対の縁部の間から導出されることを特徴とするワイヤハーネス。
【００１２】
上記（２）の構成のワイヤハーネスによれば、幹線の延在方向一端側から配索された一端側支線と、幹線の延在方向他端側から配索された他端側支線とが、それぞれ分岐位置で幹線の周囲に巻かれた後、幹線と交差方向に分岐配索される。これにより、幹線の延在方向両側からそれぞれ配索された各支線が、分岐部の固定強度、バラケ抑制に寄与しながら分岐可能となる。また、幹線の延在方向両側からの各支線が幹線に巻き付けられた後、同方向に纏められることで、分岐部の固定強度、バラケ抑制効果がより高まる。
【００１３】
（３）  布線用図板に予め片面粘着シートを載置するシート載置工程と、幹線のみの電線を前記片面粘着シートの上に配索する布線工程と、前記幹線の少なくとも延在方向一端側から配索される支線を前記幹線の周囲に少なくとも半周以上巻き付けてから前記幹線と交差する方向に分岐配索する支線巻き付け分岐工程と、前記片面粘着シートを貼り合わせて前記幹線及び前記支線を一括して挟んで覆う外装工程と、を含むことを特徴とするワイヤハーネスの製造方法。
【００１４】
上記（３）の構成のワイヤハーネスの製造方法によれば、布線用図板の所定の位置に予め載置された片面粘着シートの上に、先ず、幹線のみが配索される。次いで、幹線の少なくとも延在方向一端側から配索された支線が、幹線の周囲に少なくとも半周以上巻き付けられる。半周以上巻き付けられた支線は、幹線と交差する分岐方向へ分岐配索される。そこで、この支線の巻き付けられた部分により幹線の電線は強固に結束され、バラケが抑制される。その結果、分岐部でのテープ巻きを省略することができる。最後に、片面粘着シートが貼り合わされて、幹線及び分岐部の支線が一括して包み込まれることにより、幹線の周囲に巻き付けられた支線の部分は、片面粘着シートの貼付け代を拡大せずに分岐部の固定強度が増大される。
【発明の効果】
【００１５】
本発明に係るワイヤハーネス及びワイヤハーネスの製造方法によれば、テープ巻きを省略することで作業性を高め、貼付け代を増大させずに分岐部の固定強度を高めることができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るワイヤハーネスの一部破断平面図及び要部拡大図である。
【図２】図１のＩＩ−ＩＩ断面矢視図である。
【図３】（ａ）〜（ｂ）は本発明の一実施形態に係るワイヤハーネスの製造方法を説明するための平面図である。
【図４】テープにより分岐処理された従来のワイヤハーネスの平面図である。
【図５】片面粘着シートにより分岐処理された従来のワイヤハーネスの平面図である。
【発明を実施するための形態】
【００１８】
以下、本発明に係る実施形態を図面を参照して説明する。
図１及び図２に示すように、本発明の一実施形態に係るワイヤハーネス１１は、複数本の被覆電線（電線）１３が纏められた幹線１５と、幹線１５の途中から分岐される支線１７とを有する。
幹線１５は、複数の被覆電線１３が例えば粘着テープ（図示略）によってハーフラップ巻きされて束ねられてもよい。そして、幹線１５は、少なくとも直線状部分が片面自己粘着シート（片面粘着シート）１９によって覆われている。
【００１９】
本実施形態で用いられる片面粘着シートとしての片面自己粘着シート１９は、図１に断面を拡大して示すように、自身の粘着面（裏面）同士を合わせることによってのみ貼り合わすことができる自己粘着シートである。つまり、糊や結束テープを不要にして粘着面（裏面）同士を合わせるだけで簡単に貼ることが可能となる。更に、片面自己粘着シート１９は、特殊粘着剤層２１がワイヤハーネス１１や作業者の手指などに貼り付くことがなく、組立作業性を低下させることがない。片面自己粘着シート１９は、ＰＰ（ポリプロピレン）発泡材からなるシート基材２３の表面に表面材２５が積層され、裏面に特殊粘着剤層２１が積層される。表面材２５にはクラフト紙、ライナーボード、ＰＥＴ（ポリエチレンテレフタレート）フィルム、ＰＰフィルム、不織布等が使用可能となる。引張強さは、タテ方向が４９Ｎ／ｃｍ幅、ヨコ方向が２３Ｎ／ｃｍ幅（ＪＩＳ  Ｋ−６７６７準拠）、引裂強さは、タテ方向が７．８Ｎ、ヨコ方向が６．８Ｎ（ＪＩＳ  Ｋ−６７６７準拠）、水蒸気透過率は０．００５２ｇ／ｃｍ２・２４ｈｒｓ（ＦＳ−１０１Ｂ）、初期粘着力は２．５Ｎ／ｃｍ幅（Ｔ型剥離試験）等の特性を有する。この片面自己粘着シート１９としては、例えばCro−nel（登録商標）等を用いることができる。尚、本発明に係る片面粘着シートとしては、上記片面自己粘着シート１９に限らず、発泡材を含まない一般的なシート基材の一方の面に特殊粘着剤層が積層された自己粘着シートや、シート基材の少なくとも一方の面の一部分または全てに粘着剤が塗布された公知の粘着シートを用いることもできる。
【００２０】
片面自己粘着シート１９は、幹線１５を挟んで覆っている。片面自己粘着シート１９は、例えば幹線１５の直線状部分に沿う一枚の四角形状に形成され、幹線１５に沿う一対の縁部２２を有する（図３参照）。
幹線１５を挟んで覆う以前の片面自己粘着シート１９は、図３に示すように、特殊粘着剤層２１を上にして、四角形状の上半分に幹線１５が置かれる。上半分に幹線１５が置かれた片面自己粘着シート１９は、幹線１５に沿う中央部の折曲線２０を境に、下半分が上側へ折り畳まれることで、上下辺である一対の縁部２２を重ね合わせるようにして特殊粘着剤層２１同士が固着して貼り合わされる。即ち、片面自己粘着シート１９は、展開状態の四角形が上下方向に半分の大きさとなる。
【００２１】
なお、本実施形態では、片面自己粘着シート１９が一枚である場合を例に説明するが、本発明に係るワイヤハーネスは、片面粘着シートが同一形状の二枚からなるものであってもよい。この場合、ワイヤハーネスは、これら二枚の片面粘着シートによって幹線１５が挟まれて貼り合わされる。この際、二枚の片面粘着シートは、それぞれの対応する一辺から成る一対の縁部を重ね合わせて貼り合わされる。
【００２２】
図１に示したように、幹線１５の直線状部分の途中からは所定本数の被覆電線１３からなる支線１７が分岐される。支線１７は、幹線１５の途中における分岐位置から幹線１５に対して例えば垂直に分岐される。支線１７は、幹線１５の分岐部で幹線１５の周囲に少なくとも半周以上巻き付けられてから幹線１５と交差する方向に分岐配索されて一対の縁部２２の間から導出される。
【００２３】
本実施形態に係るワイヤハーネス１１では、支線１７は、幹線１５の延在方向両端側からそれぞれ配索される。即ち、幹線１５の延在方向一端側（図１中、左側）から配索された一端側支線２７と、幹線１５の延在方向他端側（図１中、右側）から配索された他端側支線２９とが、幹線１５の途中である分岐部において、幹線１５の周囲に略１周巻き付けられてから幹線１５と交差する同方向（図１の上方向）に纏めて分岐配索されて一対の縁部２２の間から導出されている。重ね合わせた一対の縁部２２の間から導出された支線１７の末端には、例えばコネクタ（図示せず）が取り付けられる。
【００２４】
次に、本実施形態に係るワイヤハーネス１１の製造方法を説明する。
本実施形態のワイヤハーネス１１を製造するには、片面自己粘着シート１９と、複数本の被覆電線１３を置いて作業を行うための布線用図板３１が用いられる。布線用図板３１は、一対の治具ピン３３が支線１７の延在方向に立設される。治具ピン３３は、支線１７を挟むことが可能となるように離間して立設されている。この治具ピン３３の間に分岐された支線１７が配置される。
先ず、シート載置工程において、布線用図板３１に予め片面自己粘着シート１９を載置する。この際、展開状態の片面自己粘着シート１９の上辺（一対の縁部２２における一方の縁部２２となる図３（ａ）の上側の辺）が、治具ピン３３に近接配置される。
次いで、布線工程において、幹線１５のみの被覆電線１３を片面自己粘着シート１９の上に配索する（図３（ａ）参照）。
【００２５】
そして、支線巻き付け分岐工程において、先ず、幹線１５の延在方向一端側から配索される一端側支線２７を幹線１５の分岐部に略１周巻き付けてから幹線１５と交差する方向（本実施形態では直交方向）に分岐配索する。配索された一端側支線２７は、一対の治具ピン３３の間に保持される。幹線１５の分岐部から分岐して治具ピン３３に挟持された一端側支線２７は、直線状となって、幹線１５に対し直交して配置されることになる（図３（ｂ）参照）。
次に、幹線１５の延在方向他端側から配索される他端側支線２９を幹線１５の分岐部に略１周巻き付けてから幹線１５と交差する方向に分岐配索する。配索された他端側支線２９も、一対の治具ピン３３の間に保持される。幹線１５の分岐部から分岐して治具ピン３３に挟持された他端側支線２９も、直線状となって、幹線１５に対し直交して配置されることになる（図３（ｃ）参照）。
【００２６】
最後に、外装工程において、片面自己粘着シート１９を貼り合わせて、幹線１５及び分岐部の支線１７を一括して挟んで覆う。即ち、図３（ｃ）に示した片面自己粘着シート１９の下半分を、折曲線２０を境に上側へ折り返して上下が半分となるように重ねる。なお、図３（ｃ）における片面自己粘着シート１９の下側の辺である下辺が、一対の縁部２２における他方の縁部２２となる。これにより、図１に示したように、特殊粘着剤層２１同士が固着して、幹線１５及び支線１７が、片面自己粘着シート１９によって挟まれた状態で覆われる。片面自己粘着シート１９は、折り重ねられた上下辺が一対の縁部２２となる。これら一対の縁部２２は、幹線１５に平行に沿う。支線１７は、重ね合わせた一対の縁部２２の間から導出された状態となる。
【００２７】
上記構成を有するワイヤハーネス１１の作用を説明する。
本実施形態に係るワイヤハーネス１１によれば、幹線１５に沿って配索された一端側支線２７及び他端側支線２９（支線１７）が、幹線１５の途中である分岐位置において、それぞれ幹線１５の周囲に略１周巻き付けられてから幹線１５と直交する方向に分岐配索されている。なお、幹線１５と交差する支線１７の方向は、直交方向とは限らず幹線１５に対して傾斜して交差する方向でもよい。
【００２８】
また、図１に示したように、幹線１５の延在方向両端側からそれぞれ配索された一端側支線２７及び他端側支線２９が、幹線１５の分岐側（図１中、上側）に沿うようにして配索されている場合は、略１周巻き付けられることになる。これに対し、一端側支線２７及び他端側支線２９が、幹線１５の分岐側の反対側に沿うようにして配索されている場合は、略半周巻き付けられることになる。勿論、一端側支線２７及び他端側支線２９は、幹線１５の周囲に２周以上巻き付けられてもよい。また、本実施形態の一端側支線２７及び他端側支線２９は、幹線１５に対してそれぞれ同方向から巻き付けられて幹線１５と交差する同方向に纏めて分岐配索されているが、一端側支線２７及び他端側支線２９は、幹線１５に対してそれぞれ反対方向から巻き付けられて幹線１５と交差する同方向に纏めて分岐配索されてもよい。
【００２９】
即ち、一端側支線２７及び他端側支線２９からなる支線１７は、この幹線１５の周囲に巻き付けられた部分（以下、巻き付き部と云う）３５も片面自己粘着シート１９における特殊粘着剤層２１との接触領域（粘着領域）となる。更に、支線１７は、導出方向（分岐方向）に引っ張られると、巻き付き部３５と幹線１５との摩擦力によって分岐部に抗力が生じる。そこで、この抗力が分岐部の固定強度に寄与することになり、支線１７の巻き付き部３５は、片面自己粘着シート１９の貼付け代３７を拡大せずに分岐部の固定強度を増大させることになる。
【００３０】
また、この巻き付き部３５は、分岐部の固定強度を高めるのと同時に、分岐部の幹線１５を巻き締める働きがある。これにより、分岐部での被覆電線１３のバラケが抑制される。その結果、分岐部でのテープ巻きを省略することができる。これら、分岐部の固定強度の向上やバラケ抑制効果は、略半周巻きに比べ、１周巻き以上でより顕著となる。勿論、例えば仮固定のための簡易的なテープ巻きを分岐部に施してもよいことは云うまでもない。
【００３１】
更に、本実施形態に係るワイヤハーネス１１では、幹線１５の延在方向一端側から配索された一端側支線２７と、幹線１５の延在方向他端側から配索された他端側支線２９とが、それぞれ分岐部で幹線１５の周囲に巻かれた後、幹線１５と交差方向に分岐配索される。これにより、幹線１５の延在方向両側からそれぞれ配索された一端側支線２７及び他端側支線２９が、分岐部の固定強度、バラケ抑制に寄与しながら分岐可能となる。また、幹線１５の延在方向両側からの一端側支線２７及び他端側支線２９が幹線１５に巻き付けられた後、同方向に纏められることで、分岐部の固定強度、バラケ抑制効果がより高まる。
【００３２】
また、本実施形態に係るワイヤハーネス１１の製造方法によれば、布線用図板３１の所定の位置に予め載置された片面自己粘着シート１９の上に、先ず、幹線１５のみが配索される。次いで、幹線１５の延在方向両端側から配索された一端側支線２７及び他端側支線２９からなる支線１７が、幹線１５の周囲に略１周巻き付けられる。略１周巻き付けられた支線１７の巻き付き部３５は、幹線１５と直交する分岐方向へ分岐配索される。そこで、この支線１７の巻き付き部３５により幹線１５の被覆電線１３は強固に結束され、バラケが抑制される。その結果、分岐部でのテープ巻きを省略することができる。
【００３３】
最後に、片面自己粘着シート１９が貼り合わされて、幹線１５及び分岐部の支線１７が一括して包み込まれることにより、幹線１５の周囲に巻き付けられた支線１７の巻き付き部３５は、片面自己粘着シート１９の貼付け代３７を拡大せずに分岐部の固定強度が増大されえる。
【００３４】
従って、本実施形態に係るワイヤハーネス１１によれば、テープ巻きを省略することで作業性を高め、貼付け代３７を増大させずに分岐部の固定強度を高めることができる。
【００３５】
また、本実施形態に係るワイヤハーネス１１の製造方法によれば、幹線１５の周囲に支線１７を巻き付けることにより、幹線１５の分岐部における被覆電線１３のバラケが無くなる。そこで、シート貼付作業時の電線噛み込みが防止できる。その結果、容易な作業で高品質なワイヤハーネス１１を製造できる。
【００３６】
ここで、上述した本発明に係るワイヤハーネス及びワイヤハーネスの製造方法の実施形態の特徴をそれぞれ以下に簡潔に纏めて列記する。
［１］  幹線１５と、前記幹線１５を挟んで覆い前記幹線１５に沿う一対の縁部２２を重ね合わせて貼り合わされる片面粘着シート（片面自己粘着シート）１９と、前記幹線１５の途中から前記幹線１５の周囲に少なくとも半周以上巻き付けられてから前記幹線１５と交差する方向に分岐配索されて前記一対の縁部２２の間から導出される支線１７と、を備えることを特徴とするワイヤハーネス１１。
【００３７】
［２］  上記［１］の構成のワイヤハーネス１１であって、前記幹線１５の延在方向一端側から配索された一端側支線２７と、前記幹線１５の延在方向他端側から配索された他端側支線２９とが、前記幹線１５の周囲に少なくとも半周以上巻き付けられてから前記幹線１５と交差する同方向に纏めて分岐配索されて前記一対の縁部２２の間から導出されることを特徴とするワイヤハーネス１１。
【００３８】
［３］  布線用図板３１に予め片面粘着シート（片面自己粘着シート）１９を載置するシート載置工程と、幹線１５のみの電線（被覆電線）１３を前記片面粘着シート（片面自己粘着シート）１９の上に配索する布線工程と、前記幹線１５の少なくとも延在方向一端側から配索される支線１７を前記幹線１５の周囲に少なくとも半周以上巻き付けてから前記幹線１５と交差する方向に分岐配索する支線巻き付け分岐工程と、前記片面粘着シート（片面自己粘着シート）１９を貼り合わせて前記幹線１５及び前記支線１７を一括して挟んで覆う外装工程と、を含むことを特徴とするワイヤハーネス１１の製造方法。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４０】
１１…ワイヤハーネス
１３…被覆電線（電線）
１５…幹線
１７…支線
１９…片面自己粘着シート（片面粘着シート）
２１…特殊粘着剤層
２２…縁部
２７…一端側支線
２９…他端側支線
３１…布線用図板
【図１】
2015033207.tif 000003
【図２】
2015033207.tif 000004
【図３】
2015033207.tif 000005
【図４】
2015033207.tif 000006
【図５】
2015033207.tif 000007